【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】  
映像表示手段、および、この映像表示手段により映出される映像を観察者の眼部に投影するための映出光学系を内蔵する映像映出部を有する頭部装着型映像表示装置であって、
上記映像映出部を内蔵する外装体と、
上記外装体に固定される一対のフレーム支持部材と、
頭部装着用の部材であって、上記一対のフレーム支持部材にそれぞれ回動自在に支持される一対のフレーム部材と、
を具備しており、
上記フレーム部材は、回動中心のフランジ部内面に対向するピンを有すると共に、この対向するピンを結ぶ軸線は、フレーム部材の主軸面に対して所定の角度傾斜し、
上記フレーム支持部材は、上記ピンが嵌入するピン支持穴を有している、
ことを特徴とする頭部装着型映像表示装置。
【請求項２】
上記フレーム部材は、上記フランジ部を弾性変形させることによってフレーム支持部材に対して着脱可能であることを特徴とする請求項１記載の頭部装着型映像表示装置。
【請求項３】
上記フレーム支持部材には、上記ピン支持穴の一方向に沿って設けられるＬ状溝が設けられており、上記フレーム部材は、上記Ｌ状溝に沿って移動し、着脱されることを特徴とする請求項２記載の頭部装着型映像表示装置。
【請求項４】
上記フレーム部材が略携帯、または、略収納位置まで折り畳まれた状態で上記フレーム部材が上記フレーム支持部材から着脱可能とすることを特徴とする請求項２記載の頭部装着型映像表示装置。
【請求項５】
上記一対のフレーム支持部材は、共通の形状を有していることを特徴とする請求項１記載の頭部装着型映像表示装置。
【請求項６】
映像表示手段、および、上記映像表示手段により映出される映像を観察者の眼部に投影するための映出光学系を内蔵する映像映出部を有する頭部装着型映像表示装置であって、
上記映像映出部を内蔵する外装体と、
上記外装体に固定される一対のフレーム支持部材と、
頭部装着用の部材であって、上記一対のフレーム支持部材にそれぞれ回動自在に支持される一対のフレーム部材と、
上記フレーム部材に相対移動可能に取り付けられ、上記フレーム部材の回動角度を調整するためのフレーム回動開放量変更装置と、
を具備しており、上記フレーム回動開放量変更装置は、上記相対移動により上記フレーム支持部材とフレーム部材との当て付け部に挿脱することにより上記フレーム部材の回動角度の少なくとも２段階の調整を行うことを特徴とする頭部装着型映像表示装置。
【請求項７】
映像表示手段、および、上記映像表示手段により映出される映像を観察者の眼部に投影するための映出光学系を内蔵する映像映出部を有する頭部装着型映像表示装置であって、
上記映像映出部を内蔵する外装体と、
上記外装体に固定される一対のフレーム支持部材と、
頭部装着用の部材であって、上記一対のフレーム支持部材にそれぞれ回動自在に支持される一対のフレーム部材と、
上記フレーム部材に相対移動可能に取り付けられ、上記フレーム部材の回動角度を調整するためのフレーム回動開放量変更装置と、
を具備しており、上記フレーム回動開放量変更装置は、上記相対移動により上記フレーム支持部材とフレーム部材との当て付け部に挿脱することにより上記フレーム部材の回動角度の無段階調整を行うことを特徴とする頭部装着型映像表示装置。
【請求項８】
上記フレーム回動開放量変更装置は、一対の部材からなり、上記一対の部材は、同一形状の部材であることを特徴とする請求項６、または、７記載の頭部装着型映像表示装置。
【請求項９】
映像表示手段、および、上記映像表示手段により映出される映像を観察者の眼部に投影するための映出光学系を内蔵する映像映出部を有する頭部装着型映像表示装置であって、
上記映像映出部を内蔵する外装体と、
上記外装体に固定される一対のフレーム支持部材と、
頭部装着用の部材であって、上記フレーム支持部材に回動自在に支持される一対のフレーム部材と、
を具備しており、上記フレーム部材は、回動中心近傍の主軸面に対して回動先端部が下方向に所定の寸法だけシフトしていることを特徴とする頭部装着型映像表示装置。
【請求項１０】
上記一対のフレーム部材と上記一対のフレーム支持部材は、互いに取り換えて取り付けが可能であることを特徴とする請求項９記載の頭部装着型映像表示装置。
【手続補正２】
【補正対象書類名】明細書
【補正対象項目名】０００６
【補正方法】変更
【補正の内容】
【０００６】
【課題を解決するための手段】
本発明の請求項１記載の頭部装着型映像表示装置は、映像表示手段、および、この映像表示手段により映出される映像を観察者の眼部に投影するための映出光学系を内蔵する映像映出部を有する頭部装着型映像表示装置であって、上記映像映出部を内蔵する外装体と、上記外装体に固定される一対のフレーム支持部材と、頭部装着用の部材であって、上記一対のフレーム支持部材にそれぞれ回動自在に支持される一対のフレーム部材と、を具備しており、上記フレーム部材は、回動中心のフランジ部内面に対向するピンを有すると共に、この対向するピンを結ぶ軸線は、フレーム部材の主軸面に対して所定の角度傾斜し、上記フレーム支持部材は、上記ピンが嵌入するピン支持穴を有している。
【手続補正３】
【補正対象書類名】明細書
【補正対象項目名】０００７
【補正方法】変更
【補正の内容】
【０００７】
本発明の請求項２記載の頭部装着型映像表示装置は、請求項１記載の頭部装着型映像表示装置において、上記フレーム部材は、上記フランジ部を弾性変形させることによってフレーム支持部材に対して着脱可能である。
【手続補正４】
【補正対象書類名】明細書
【補正対象項目名】０００８
【補正方法】変更
【補正の内容】
【０００８】
本発明の請求項３記載の頭部装着型映像表示装置は、請求項２記載の頭部装着型映像表示装置において、上記フレーム支持部材には、上記ピン支持穴の一方向に沿って設けられるＬ状溝が設けられており、上記フレーム部材は、上記Ｌ状溝に沿って移動し、着脱される。
【手続補正５】
【補正対象書類名】明細書
【補正対象項目名】０００９
【補正方法】変更
【補正の内容】
【０００９】
本発明の請求項４記載の頭部装着型映像表示装置は、請求項２記載の頭部装着型映像表示装置において、上記フレーム部材が略携帯、または、略収納位置まで折り畳まれた状態で上記フレーム部材が上記フレーム支持部材から着脱可能とする。
【手続補正６】
【補正対象書類名】明細書
【補正対象項目名】００１０
【補正方法】変更
【補正の内容】
【００１０】
本発明の請求項５記載の頭部装着型映像表示装置は、請求項１記載の頭部装着型映像表示装置において、上記一対のフレーム支持部材は、共通の形状を有している。
【手続補正７】
【補正対象書類名】明細書
【補正対象項目名】００１１
【補正方法】変更
【補正の内容】
【００１１】
本発明の請求項６記載の頭部装着型映像表示装置は、映像表示手段、および、上記映像表示手段により映出される映像を観察者の眼部に投影するための映出光学系を内蔵する映像映出部を有する頭部装着型映像表示装置であって、上記映像映出部を内蔵する外装体と、上記外装体に固定される一対のフレーム支持部材と、頭部装着用の部材であって、上記一対のフレーム支持部材にそれぞれ回動自在に支持される一対のフレーム部材と、上記フレーム部材に相対移動可能に取り付けられ、上記フレーム部材の回動角度を調整するためのフレーム回動開放量変更装置と、を具備しており、上記フレーム回動開放量変更装置は、上記相対移動により上記フレーム支持部材とフレーム部材との当て付け部に挿脱することにより上記フレーム部材の回動角度の少なくとも２段階の調整を行う。
【手続補正８】
【補正対象書類名】明細書
【補正対象項目名】００１２
【補正方法】変更
【補正の内容】
【００１２】
本発明の請求項７記載の頭部装着型映像表示装置は、映像表示手段、および、上記映像表示手段により映出される映像を観察者の眼部に投影するための映出光学系を内蔵する映像映出部を有する頭部装着型映像表示装置であって、上記映像映出部を内蔵する外装体と、上記外装体に固定される一対のフレーム支持部材と、頭部装着用の部材であって、上記一対のフレーム支持部材にそれぞれ回動自在に支持される一対のフレーム部材と、上記フレーム部材に相対移動可能に取り付けられ、上記フレーム部材の回動角度を調整するためのフレーム回動開放量変更装置と、を具備しており、上記フレーム回動開放量変更装置は、上記相対移動により上記フレーム支持部材とフレーム部材との当て付け部に挿脱することにより上記フレーム部材の回動角度の無段階調整を行う。
【手続補正９】
【補正対象書類名】明細書
【補正対象項目名】００１３
【補正方法】変更
【補正の内容】
【００１３】
本発明の請求項８記載の頭部装着型映像表示装置は、請求項６または７記載の頭部装着型映像表示装置において、上記フレーム回動開放量変更装置は、一対の部材からなり、上記一対の部材は、同一形状の部材である。
【手続補正１０】
【補正対象書類名】明細書
【補正対象項目名】００１４
【補正方法】変更
【補正の内容】
【００１４】
本発明の請求項９記載の頭部装着型映像表示装置は、映像表示手段、および、上記映像表示手段により映出される映像を観察者の眼部に投影するための映出光学系を内蔵する映像映出部を有する頭部装着型映像表示装置であって、上記映像映出部を内蔵する外装体と、上記外装体に固定される一対のフレーム支持部材と、頭部装着用の部材であって、上記フレーム支持部材に回動自在に支持される一対のフレーム部材と、を具備しており、上記フレーム部材は、回動中心近傍の主軸面に対して回動先端部が下方向に所定の寸法だけシフトしている。
【手続補正１１】
【補正対象書類名】明細書
【補正対象項目名】００１５
【補正方法】変更
【補正の内容】
【００１５】
本発明の請求項１０記載の頭部装着型映像表示装置は、請求項９記載の頭部装着型映像表示装置において、上記一対のフレーム部材と上記一対のフレーム支持部材は、互いに取り換えて取り付けが可能である。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００８７
【補正方法】変更
【補正の内容】
【００８７】
【発明の効果】
上述のように本発明によれば、コンパクトで頭部に簡単に装着でき、折り畳んだとき、携帯、または、収納に都合が良く、左，右部品の共通化が可能となり、また、十分な強度が得られ、取り扱いも容易な使い勝手のよい低コスト化が可能な頭部装着型表示装置を提供できる。